(57)【要約】【課題】装置構成の複雑化や部品点数の増大を招くことなく、被照明体をより明るく照明しかつ照明の光の照度を安定化させることが可能な画像読取り装置を提供する。【解決手段】ＬＥＤアレイ７１からの直接的な照明光の断面配光のピークと反射板７３で反射された間接的な照明光の断面配光のピークとが、プラテンガラス４４又は原稿読取りガラス６５の表面（読取り基準面）におけるＣＣＤ４８により走査される主走査ラインを挟んで離間したそれぞれの位置を通るようにしている。これにより、読取り基準面においては、２つの照明光の断面配光のピークが主走査ラインの両側にずれて、２つの断面配光のピーク間の主走査ラインを含む照明範囲が２つの照明光のいずれによっても照明され、この照明範囲での照度が安定化する。【選択図】図５
2012156574.tif 000002
【特許請求の範囲】
【請求項１】
読取り基準面に配された被照射体を読取る光電変換素子を備え、前記光電変換素子の読取り光軸の両側にある２つ照明位置からそれぞれの照明光を前記被照射体へと照射する画像読取り装置であって、
前記読取り基準面において、前記各照明光の断面配光ピークを通るそれぞれの照明光軸を前記読取り光軸に対してずらしたことを特徴とする画像読取り装置。
【請求項２】
請求項１に記載の画像読取り装置であって、
前記読取り基準面において、前記各照明光の断面配光ピークを通るそれぞれの照明光軸を前記読取り光軸に対して両側にずらしたことを特徴とする画像読取り装置。
【請求項３】
請求項１又は２に記載の画像読取り装置であって、
前記各照明光の断面配光ピークを通るそれぞれの照明光軸が、前記読取り基準面に対して前記各照明位置側で交差したことを特徴とする画像読取り装置。
【請求項４】
請求項１又は２に記載の画像読取り装置であって、
前記各照明光の断面配光ピークを通るそれぞれの照明光軸が、前記読取り基準面に対して前記各照明位置とは反対側で交差したことを特徴とする画像読取り装置。
【請求項５】
請求項１〜４のいずれか１つに記載の画像読取り装置であって、
前記各照明位置の一方に光源を設けて他方に光源又は反射部材を設けており、
前記各照明光は、前記各照明位置の光源から出射されて前記被照射体へと至るそれぞれの光であるか、又は前記各照明位置の一方の光源から前記被照射体へと至る光及び前記一方の光源から出射され前記各照明位置の他方の反射部材で反射されて前記被照射体へと至る光であることを特徴とする画像読取り装置。
【請求項６】
請求項１〜５のいずれか１つに記載の画像読取り装置であって、
前記各照明位置の一方に光源と導光部材を設けて他方に反射部材を設けており、
前記導光部材は、前記被照射体と前記光源間に配置され、前記光源からの光を透過して前記被照射体へと導く直接出射部と、前記反射部材と前記光源間に配置され、前記光源からの光を透過して前記反射部材へと導く間接出射部とを有し、
前記各照明光は、前記光源から出射され前記直接出射部を透過して前記被照射体へと至る光及び前記光源から出射され前記間接出射部を透過して前記反射部材で反射され前記被照射体へと至る光であることを特徴とする画像読取り装置。
【請求項７】
請求項１〜６のいずれか１つに記載の画像読取り装置であって、
前記反射部材は、第１反射面及び前記第１反射面に対して屈曲された第２反射面を有し、
前記第１反射面により反射された光の断面配光ピークと前記第２反射面により反射された光の断面配光ピークとを、前記読取り光軸の方向にずらしたことを特徴とする画像読取り装置。
【請求項８】
請求項１〜７のいずれか１つに記載の画像読取り装置を備えた画像形成装置。
【発明の詳細な説明】
【技術分野】
【０００１】
本発明は、原稿等の被照射体を照明して、被照射体を光電変換素子により読取る画像読取り装置、その画像読取り装置を備えた画像形成装置に関する。
【背景技術】
【０００２】
この種の画像読取り装置では、原稿を走査して読取る光電変換素子と、光電変換素子による原稿の走査方向（主走査方向）に沿って配された長い光源とを備え、この長い光源により原稿を照明する。この長い光源としては、冷陰極管やＬＥＤアレイ等がある。画像読取り装置は、光源により照明されている原稿を主走査方向に沿って繰り返し走査しつつ、原稿を副走査方向にも走査して、原稿全体を読取る。この読取られた原稿の画像は、プリンター等に出力されて、記録用紙に記録される。
【０００３】
このような画像読取り装置では、原稿をより明るく照明するために、二方向から原稿を照明することがある。あるいは、一方向から原稿を照明すると、原稿端部の影が生じて、この影が読取られることから、二方向から原稿を照明して、原稿端部の影を低減させることがある。
【０００４】
例えば、特許文献１では、読取りライン（主走査ライン）の両側に２つの光源を振り分けて設け、各光源の照度分布のピークを主走査ライン上で一致させて、原稿をより明るく照明し、かつ原稿端部の影を低減させている。
【０００５】
また、特許文献２では、主走査ライン（もしくは光電変換素子の光軸）の両側に光源と反射板を振り分けて設け、光源の光を主走査ラインに直接照射すると共に、光源の光を反射板で反射させて主走査ラインに照射し、光源からの直接光の中心と反射板からの反射光の中心を主走査ライン上で一致させて、原稿をより明るく照明し、かつ原稿端部の影を低減させている。
【先行技術文献】
【特許文献】
【０００６】
【特許文献１】特開２００７−２１４９４８号公報
【特許文献２】特開２００５−１０２１１２号公報
【発明の概要】
【発明が解決しようとする課題】
【０００７】
しかしながら、上述のように各光源の照度分布のピークを主走査ライン上で一致させたり、光源からの直接光の中心と反射板からの反射光の中心を主走査ライン上で一致させた場合は、２つの光の照度分布のピークが重なるため、重なった照度分布のピークが格別に急峻になって、重なった照度分布のピークの位置ずれによる照度変化が大きく、主走査ラインを照明する光の照度が不安定となった。このため、特許文献１では、各光源の位置（各光源の照度分布のピーク位置）を調節する機構を設けているが、このような調節機構は画像読取り装置の構成の複雑化や部品点数の増大を招く。
【０００８】
画像読取り装置においては、そのような構成の複雑化や部品点数の増大を避けるべく、各光源の位置の調節機構を省略することが好ましいが、調節機構を設けない場合は、光源や反射板の寸法誤差及び取付け誤差が原因になって、光の照度分布のピークが主走査ラインに正確に一致せず、原稿をより明るく照明したり、照明光の照度を安定化させることができなかった。
【０００９】
そこで、本発明は、上記従来の問題点に鑑みなされたものであり、装置構成の複雑化や部品点数の増大を招くことなく、被照明体を明るく照明しかつ照明光の照度を安定化させることが可能な画像読取り装置、その画像読取り装置を備えた画像形成装置を提供することを目的とする。
【課題を解決するための手段】
【００１０】
上記課題を解決するために、本発明の画像読取り装置は、読取り基準面に配された被照射体を読取る光電変換素子を備え、前記光電変換素子の読取り光軸の両側にある２つ照明位置からそれぞれの照明光を前記被照射体へと照射する画像読取り装置であって、前記読取り基準面において、前記各照明光の断面配光ピークを通るそれぞれの照明光軸を前記読取り光軸に対してずらしている。
【００１１】
このような本発明の画像読取り装置では、被照射体が配された読取り基準面において、２つの照明光の断面配光ピークを通るそれぞれの照明光軸が光電変換素子の読取り光軸に対してずらされている。このため、読取り基準面においては、各照明光の照明光軸間の照明範囲が明るく照明され、この照明範囲の照度が安定化する。各照明光の照明光軸間の照明範囲においては、各照明光の断面配光ピークの急峻程度及び各照明光の照明光軸間の離間距離等により該照明範囲の断面配光特性が決まるが、各照明光の照明光軸間の離間距離を適宜に設定することにより該照明範囲の照度を高くかつ略一定にすることができ、また照明範囲を広く設定することができる。このため、読取り走査ラインを明るく照明しかつ読取り走査ラインでの照度変化を抑えることができ、また光源や反射板の位置を調節する機構を格別に設ける必要がない。
【００１２】
例えば、本発明の画像読取り装置では、前記読取り基準面において、前記各照明光の断面配光ピークを通るそれぞれの照明光軸を前記読取り光軸に対して両側にずらしている。
【００１３】
この場合は、照明範囲が読取り光軸の両側に広がる。
【００１４】
また、本発明の画像読取り装置においては、前記各照明光の断面配光ピークを通るそれぞれの照明光軸が、前記読取り基準面に対して前記各照明位置側で交差している。あるいは、前記各照明光の断面配光ピークを通るそれぞれの照明光軸が、前記読取り基準面に対して前記各照明位置とは反対側で交差している。
【００１５】
これにより、各照明光の断面配光ピークを通るそれぞれの照明光軸が、読取り基準面における読取り光軸の両側にずれる。
【００１６】
例えば、本発明の画像読取り装置においては、前記各照明位置の一方に光源を設けて他方に光源又は反射部材を設けており、前記各照明光は、前記各照明位置の光源から出射されて前記被照射体へと至るそれぞれの光であるか、又は前記各照明位置の一方の光源から前記被照射体へと至る光及び前記一方の光源から出射され前記各照明位置の他方の反射部材で反射されて前記被照射体へと至る光である。
【００１７】
このように各照明位置にそれぞれの光源を設けても、あるいは各照明位置の一方に光源を設けて他方に反射板を設けてもよい。
【００１８】
また、本発明の画像読取り装置においては、前記各照明位置の一方に光源と導光部材を設けて他方に反射部材を設けており、前記導光部材は、前記被照射体と前記光源間に配置され、前記光源からの光を透過して前記被照射体へと導く直接出射部と、前記反射部材と前記光源間に配置され、前記光源からの光を透過して前記反射部材へと導く間接出射部とを有し、前記各照明光は、前記光源から出射され前記直接出射部を透過して前記被照射体へと至る光及び前記光源から出射され前記間接出射部を透過して前記反射部材で反射され前記被照射体へと至る光である。
【００１９】
このような導光部材の直接出射部及び間接出射部は、光源の光を２方向に分けて、２方向の光の方向性を定める。すなわち、一方の直接出射部は、光源からの光を被照射体に直接導くための光路を形成し、また他方の間接出射部は、光源からの光を反射部材で反射させて被照射体に導くための光路を形成する。これらの直接出射部及び間接出射部によるそれぞれの光路の形成により、光源の光を無駄なく被照射体に導いて、被照射体を明るく照明することができる。また、導光部材の直接出射部及び間接出射部は、それぞれを透過した照明光の断面配光特性を調節設定して、読取り基準面における各照明光の照明光軸間の照明範囲の断面配光特性をより安定化させることを可能にする。
【００２０】
また、本発明の画像読取り装置においては、前記反射部材は、第１反射面及び前記第１反射面に対して屈曲された第２反射面を有し、前記第１反射面により反射された光の断面配光のピークと前記第２反射面により反射された光の断面配光のピークとを、前記読取り光軸の方向にずらしている。
【００２１】
この場合は、反射部材で反射された光による照明範囲を読取り光軸の方向に広げることができ、反射部材で反射された光により、被照射体を照明するだけではなく、被照射体とは異なる他の位置も照明することができる。
【００２２】
一方、本発明の画像形成装置は、上記本発明の画像読取り装置を備えている。
【００２３】
このような本発明の画像形成装置は、上記本発明の画像読取り装置を備えていることから、同様の作用効果を奏する。
【発明の効果】
【００２４】
このように本発明では、被照射体が配された読取り基準面において、２つの照明光の断面配光ピークを通るそれぞれの照明光軸が光電変換素子の読取り光軸に対してずらされている。このため、読取り基準面においては、各照明光の照明光軸間の照明範囲が明るく照明され、この照明範囲の照度が安定化する。各照明光の照明光軸間の照明範囲においては、各照明光の断面配光ピークの急峻程度及び各照明光の照明光軸間の離間距離等により該照明範囲の断面配光特性が決まるが、各照明光の照明光軸間の離間距離を適宜に設定することにより該照明範囲の照度を高くかつ略一定にすることができ、また照明範囲を広く設定することができる。このため、読取り走査ラインを明るく照明しかつ読取り走査ラインでの照度変化を抑えることができ、また光源や反射板の位置を調節する機構を格別に設ける必要がない。
【図面の簡単な説明】
【００２５】
【図１】本発明の画像読取り装置の第１実施形態を備えた画像形成装置を示す断面図である。
【図２】図１の画像読取り装置及び原稿搬送装置を拡大して示す断面図である。
【図３】画像読取り装置における第１走査ユニットを概略的に示す断面図である。
【図４】図３の第１走査ユニットを概略的に示す斜視図である。
【図５】第１実施形態の画像読取り装置における照明装置による照明状態を示す断面図である。
【図６】図５の照明装置における直接照明光の断面配光特性と間接照明光の断面配光特性を例示する図である。
【図７】（ａ）、（ｂ）、（ｃ）は、読取り基準面における照明範囲の断面配光特性を例示するグラフである。
【図８】比較例の照明装置の断面配光特性を例示する図である。
【図９】第１実施形態の画像読取り装置における照明装置の変形例を概略的に示す図である。
【図１０】（ａ）、（ｂ）は、第１実施形態の画像読取り装置における照明装置の他の変形例を概略的に示す図である。
【図１１】第２実施形態の画像読取り装置における照明装置による照明状態を示す断面図である。
【図１２】図１１の照明装置による本の照明状態を示す断面図である。
【図１３】第２実施形態の画像読取り装置における照明装置の変形例を概略的に示す図である。
【図１４】第２実施形態の画像読取り装置における照明装置の他の変形例を概略的に示す図である。
【発明を実施するための形態】
【００２６】
以下、本発明の実施形態を添付図面を参照して詳細に説明する。
【００２７】
図１は、本発明の画像読取り装置の第１実施形態を備えた画像形成装置を示す断面図である。この画像形成装置１００は、スキャナ機能、複写機能、プリンター機能、及びファクシミリ機能等を有する所謂複合機であり、画像読取り装置４１により読取られた原稿の画像を外部に送信したり（スキャナ機能に相当する）、この読取られた原稿の画像又は外部から受信した画像をカラーもしくは単色で記録用紙に記録形成する（複写機能、プリンター機能、及びファクシミリ機能に相当する）。
【００２８】
この画像形成装置１００は、画像を記録用紙に印刷するべく、レーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等を備えている。
【００２９】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置２、感光体ドラム３、帯電器５、及びクリーナ装置４は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３０】
各感光体ドラム３は、それらの表面に光感光層を有している。各帯電器５は、それぞれの感光体ドラム３の表面を所定の電位に均一に帯電させるための帯電手段であり、接触型であるローラ型やブラシ型の帯電器のほか、チャージャー型の帯電器が用いられる。
【００３１】
レーザ露光装置１は、レーザダイオード及び反射ミラーを備えたレーザスキャニングユニット（ＬＳＵ）であり、帯電された各感光体ドラム３表面を画像データに応じて露光して、それらの表面に画像データに対応する静電潜像を形成する。
【００３２】
各現像装置２は、それぞれの感光体ドラム３表面に形成された静電潜像を各色のトナーにより現像し、これらの感光体ドラム３表面にトナー像を形成する。各クリーナ装置４は、現像及び画像転写後にそれぞれの感光体ドラム３表面に残留したトナーを除去及び回収する。
【００３３】
中間転写ベルト装置８は、各感光体ドラム３の上方に配置されており、中間転写ベルト７、中間転写ベルト駆動ローラ２１、従動ローラ２２、４つの中間転写ローラ６、及び中間転写ベルトクリーニング装置９を備えている。
【００３４】
中間転写ベルト７は、厚さ１００μｍ〜１５０μｍ程度のフィルムを無端ベルト状に形成したものである。中間転写ベルト駆動ローラ２１、各中間転写ローラ６、従動ローラ２２等は、中間転写ベルト７を張架して支持し、中間転写ベルト７を矢印Ｃ方向に周回移動させる。
【００３５】
各中間転写ローラ６は、中間転写ベルト７近傍に回転可能に支持され、中間転写ベルト７を介してそれぞれの感光体ドラム３に押圧されている。
【００３６】
各感光体ドラム３表面のトナー像が中間転写ベルト７に順次重ねて転写されて、中間転写ベルト７上にカラーのトナー像（各色のトナー像）が形成される。各感光体ドラム３から中間転写ベルト７へのトナー像の転写は、中間転写ベルト７裏面に圧接されている各中間転写ローラ６によって行われる。各中間転写ローラ６には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００３７】
こうして各感光体ドラム３表面のトナー像は、中間転写ベルト７で積層され、画像データによって示されるカラーのトナー像となる。このカラーのトナー像は、中間転写ベルト７と共に搬送され、中間転写ベルト７と２次転写装置１１の転写ローラ１１ａ間のニップ域で記録用紙上に転写される。
【００３８】
２次転写装置１１の転写ローラ１１ａには、中間転写ベルト７上の各色のトナー像を記録用紙に転写させるための電圧（トナーの帯電極性（−）とは逆極性（＋）の高電圧）が印加されている。また、中間転写ベルト７と２次転写装置１１の転写ローラ１１ａ間のニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００３９】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収している。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００４０】
記録用紙は、中間転写ベルト７と２次転写装置１１の転写ローラ１１ａ間のニップ域でカラーのトナー像を転写された後、定着装置１２へと搬送される。定着装置１２は、加熱ローラ３１及び加圧ローラ３２等を備えており、加熱ローラ３１と加圧ローラ３２間に記録用紙を挟み込んで搬送する。
【００４１】
加熱ローラ３１は、所定の定着温度となるように制御されており、加圧ローラ３２と共に記録用紙を熱圧着することにより、記録用紙に転写されたカラーのトナー像を溶融、混合、圧接し、記録用紙に対して熱定着させる。
【００４２】
一方、給紙トレイ１０は、記録用紙を格納しておくためのトレイであり、画像形成装置１００の下部に設けられて、トレイ内の記録用紙を供給する。
【００４３】
画像形成装置１００には、給紙トレイ１０から供給された記録用紙を２次転写装置１１や定着装置１２を経由して用紙排出トレイ１５へと搬送するための用紙搬送経路Ｓが設けられている。この用紙搬送経路Ｓに沿って、用紙ピックアップローラ１６、用紙レジストローラ１４、定着装置１２、搬送ローラ１３、及び排紙ローラ１７等が配置されている。
【００４４】
用紙ピックアップローラ１６は、給紙トレイ１０の端部に設けられ、給紙トレイ１０から記録用紙を１枚ずつ引き出して用紙搬送経路Ｓへと搬送する。搬送ローラ１３は、記録用紙の搬送を促進補助するための小型のローラであり、複数組設けられている。
【００４５】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙に転写されるように、各感光体ドラム３及び中間転写ベルト７の回転にあわせて、記録用紙をタイミングよく搬送する。
【００４６】
例えば、用紙レジストローラ１４は、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００４７】
更に、記録用紙は、定着装置１２でカラーのトナー像を定着され、定着装置１２を通過した後、排紙ローラ１７によって用紙排出トレイ１５上にフェイスダウンで排出される。
【００４８】
また、記録用紙の表面だけではなく、裏面の印字を行う場合は、記録用紙を排紙ローラ１７により搬送する途中で、排紙ローラ１７を停止させてから逆回転させ、記録用紙を反転経路Ｓｒに通して、記録用紙の表裏を反転させ、記録用紙をレジストローラ１４へと導き、記録用紙の表面と同様に、記録用紙の裏面に画像を記録して定着し、記録用紙を用紙排紙トレイ１５に排出する。
【００４９】
次に、画像読取り装置４１及び原稿搬送装置４２を詳しく説明する。図２は、画像読取り装置４１及び原稿搬送装置４２を拡大して示す断面図である。
【００５０】
原稿搬送装置４２は、その奥一辺をヒンジ（図示せず）により画像読取り装置４１の奥一辺に枢支され、その手前部分を上下させることにより開閉される。原稿搬送装置４２が開かれたときには、画像読取り装置４１のプラテンガラス４４が開放され、このプラテンガラス４４上に原稿が載置される。
【００５１】
画像読取り装置４１は、プラテンガラス４４、第１走査ユニット４５、第２走査ユニット４６、結像レンズ４７、及びＣＣＤ（Charge Coupled Device）４８等を備えている。第１走査ユニット４５は、照明装置５１及び第１反射ミラー５２を備えており、副走査方向Ｙへと原稿サイズに応じた距離だけ一定速度Ｖで移動しながら、プラテンガラス４４上の原稿を照明装置５１によって照明し、その反射光を第１反射ミラー５２により反射して第２走査ユニット４６へと導き、これにより原稿表面の画像を副走査方向Ｙに走査する。第２走査ユニット４６は、第２及び第３反射ミラー５３、５４を備えており、第１走査ユニット４５に追従して速度Ｖ／２で移動しつつ、原稿からの反射光を第２及び第３反射ミラー５３、５４により反射して結像レンズ４７へと導く。結像レンズ４７は、原稿からの反射光をＣＣＤ４８に集光して、原稿表面の画像をＣＣＤ４８上に結像させる。ＣＣＤ４８は、原稿の画像を繰り返し主走査方向に走査し、その度に、１主走査ラインのアナログ画像信号を出力する。
【００５２】
第１及び第２走査ユニット４５、４６には、それぞれのプーリー（図示せず）が設けられており、これらのプーリーにワイヤー（図示せず）が架け渡され、このワイヤーがステッピングモータにより駆動されて、第１及び第２走査ユニット４５、４６が同期移動される。
【００５３】
また、画像読取り装置４１は、静止原稿だけではなく、原稿搬送装置４２により搬送されている原稿表面の画像を読取ることができる。この場合は、図２に示すように第１走査ユニット４５を原稿読取りガラス６５下方の読取り範囲に移動させ、第１走査ユニット４５の位置に応じて第２走査ユニット４６を位置決めし、この状態で、原稿搬送装置４２による原稿の搬送を開始する。
【００５４】
原稿搬送装置４２では、ピックアップローラ５５を原稿トレイ５６上の原稿に押し当て回転させて、原稿を引き出して搬送し、原稿の先端をレジストローラ６２に突き当てて、この原稿の先端を揃えてから、原稿を原稿読取りガラス６５と読取りガイド板６６間に通過させ、原稿を排紙ローラ５８から排紙トレイ４９へと排出する。
【００５５】
この原稿の搬送に際し、第１走査ユニット４５の照明装置５１により原稿表面を原稿読取りガラス６５を介して照明し、原稿表面からの反射光を第１及び第２走査ユニット４５、４６の各反射ミラーにより結像レンズ４７へと導き、原稿表面からの反射光を結像レンズ４７によりＣＣＤ４８に集光させ、原稿表面の画像をＣＣＤ４８上に結像させ、これにより原稿表面の画像を読取る。
【００５６】
また、原稿の裏面を読取る場合は、中間トレイ６７をその軸６７ａ周りで点線で示すように回転させておき、原稿を排紙ローラ５８から排紙トレイ４９へと排出する途中で、排紙ローラ５８を停止させて、原稿を中間トレイ６７上に受け、排紙ローラ５８を逆回転させて、原稿を反転搬送路６８を介してレジストローラ６２へと導いて、原稿の表裏を反転させ、原稿表面の画像と同様に、原稿裏面の画像を読取り、中間トレイ６７を実線で示す元の位置に戻して、原稿を排紙ローラ５８から排紙トレイ４９へと排出する。
【００５７】
こうしてＣＣＤ４８により読取られた原稿表面の画像は、ＣＣＤ４８からアナログ画像信号として出力され、このアナログ画像信号がデジタル画像信号にＡ／Ｄ変換される。そして、このデジタル画像信号は、種々の画像処理を施されてから画像形成装置１００のレーザ露光装置１へと送受され、画像形成装置１００において画像が記録用紙に記録され、この記録用紙が複写原稿として出力される。
【００５８】
ところで、照明装置５１では、ＬＥＤアレイ７１の出射光を原稿側に直接導くと共に反射板７３へと導く導光部材７２と、導光部材７２により導かれて来た光を原稿側に反射させる反射板７３とを設け、ＬＥＤアレイ７１からの直接的な照明光と反射板７３で反射された間接的な照明光により原稿を照明し、これによりＬＥＤアレイ７１の出射光の殆どを原稿に集めて、原稿を明るく照明し、かつ２方向からそれぞれの照明光を原稿に照射して、原稿端部の影を低減させている。
【００５９】
しかしながら、ＬＥＤアレイ７１や反射板７３の寸法誤差及び取付け誤差が原因となって、ＬＥＤアレイ７１からの直接的な照明光の断面配光のピークがずれたり、反射板７３で反射された間接的な照明光の断面配光のピークがずれることがあり、これが原因となって原稿の照度が不安定になることが懸念される。
【００６０】
そこで、第１実施形態では、プラテンガラス４４又は原稿読取りガラス６５の表面（読取り基準面）において、ＬＥＤアレイ７１からの直接的な照明光の断面配光ピークを通る照明光軸と反射板７３で反射された間接的な照明光の断面配光ピークを通る照明光軸とを、ＣＣＤ４８の読取り光軸の両側にずらしている。これにより、読取り基準面においては、２つの照明光の照明光軸が主走査ラインの両側にずれて、２つの照明光の照明光軸間の主走査ラインを含む照明範囲が２つの照明光のいずれによっても明るく照明され、この照明範囲での照度が安定化し、また照明範囲が広くなる。
【００６１】
次に、第１実施形態の画像読取り装置４１における照明装置５１の構成を詳しく説明する。図３は、第１走査ユニット４５を概略的に示す断面図である。また、図４は、第１走査ユニット４５を概略的に示す斜視図である。
【００６２】
図３及び図４から明らかなように、第１走査ユニット４５は、照明装置５１、第１反射ミラー５２、及び移動フレーム７４を備えている。移動フレーム７４には照明装置５１及び第１反射ミラー５２が搭載され、この移動フレーム７４の両端が滑動自在に支持されて、プーリー、ワイヤー、及びステッピングモータにより移動フレーム７４が副走査方向Ｙに移動される。
【００６３】
照明装置５１は、プラテンガラス４４又は原稿読取りガラス６５の表面（読取り基準面）と略平行な基板７５、基板７５上に搭載されたＬＥＤアレイ７１、基板７５に固定支持された導光部材７２、及び反射板７３を備えている。これらの基板７５、ＬＥＤアレイ７１、導光部材７２、及び反射板７３のいずれも、それらの長手方向が原稿ＭＳを読取るときの主走査方向Ｘに沿うように配置され、この主走査方向Ｘの読取り範囲と同程度の長さを有する。
【００６４】
ＬＥＤアレイ７１は、基板７５上で主走査方向Ｘに列設された複数のＬＥＤ７６からなる。各ＬＥＤ７６が基板７５の配線パターンに接続され、基板７５の配線パターンがハーネス（図示せず）を通じて移動走査フレーム７４に搭載のドライバ回路（図示せず）に接続されている。このドライバ回路は、ハーネス及び基板７５の配線パターンを通じて各ＬＥＤ７６へと電力を供給し、各ＬＥＤ７６を点灯及び消灯制御する。
【００６５】
導光部材７２は、透光性を有するガラス又は合成樹脂からなり、プラテンガラス４４又は原稿読取りガラス６５とＬＥＤアレイ７１間に配置された直接出射部７７、及び反射板７３とＬＥＤアレイ７１間に配置された間接出射部７８を有している。直接出射部７７及び間接出射部７８は、相互に連結されて一体化されている。間接出射部７８は、その内側に段差部７８ａを有しており、この段差部７８ａが基板７５の一端に嵌合して、この間接出射部７８が基板７５に固定支持されている。また、直接出射部７７の左端側が間接出射部７８に連結され、その右端７７ａが基板７５上の突起７９に載せて固定されて、この直接出射部７７が基板７５に固定支持されている。
【００６６】
直接出射部７７は、基板７５の斜め上方に配置されて、ＬＥＤアレイ７１とプラテンガラス４４又は原稿読取りガラス６５との間に介在し、また間接出射部７８は、基板７５の左方に配置されて、ＬＥＤアレイ７１と反射板７３との間に介在している。
【００６７】
直接出射部７７及び間接出射部７８の内側面（ＬＥＤアレイ７１に向く光入射面）は平坦面である。直接出射部７７及び間接出射部７８の光入射面がそれぞれの位置からＬＥＤアレイ７１に向けられ、これらの光入射面がなす内角側にＬＥＤアレイ７１が配置されている。ここでは、内角を各光入射面がなす１８０°未満の角度とする。
【００６８】
また、直接出射部７７及び間接出射部７８の外側面（プラテンガラス４４又は原稿読取りガラス６５、及び反射板７３に向く光出射面）は凸面である。これらの出射部７７、７８の外側の凸面は、直接出射部７７を透過した光及び間接出射部７８を透過して反射板７３で反射された光を、プラテンガラス４４及び原稿読取りガラス６５の表面（読取り基準面）に集光させるために形成されている。
【００６９】
また、ＬＥＤアレイ７１と反射板７３の間が主走査方向Ｘに沿うスリットＳｔとなっており、ＣＣＤ４８の読取り光軸（実際には主走査方向Ｘに長い光軸面となっている）ＧがスリットＳｔの中央を通って主走査ラインＸＬに交差し、またスリットＳｔの直下に第１反射ミラー５２が位置決めされている。導光部材７２は、スリットＳｔに対してＬＥＤアレイ７１側に設けられている。
【００７０】
ＬＥＤアレイ７１の各ＬＥＤ７６の光出射面７６ａは、反射板７３側に向いており、各ＬＥＤ７６の光軸が左方向に向き間接出射部７８を介して反射板７３に至っている。各ＬＥＤ７６の出射光の出射範囲は、各ＬＥＤ７６の光軸を中心として、この光軸からいずれの方向にも略９０°までである。また、基板７５の表面が白色にされており、この基板７５の表面で各ＬＥＤ７６の出射光が反射される。このため、各ＬＥＤ７６の出射光の殆どが、基板７５の表面と基板７５の表面に直交して各ＬＥＤ７６を通る垂直面との間に挟まれる９０°の範囲αに出射される。
【００７１】
また、反射板７３は、平坦な反射面を有し、主走査方向Ｘと平行にかつプラテンガラス４４及び原稿読取りガラス６５の表面（読取り基準面）に対して略４５°傾斜して配置され、ＬＥＤアレイ７１の出射光をプラテンガラス４４及び原稿読取りガラス６５へと反射する。
【００７２】
このような構成においては、図５に示すように基板７５上のＬＥＤアレイ７１が発光すると、ＬＥＤアレイ７１の出射光が、導光部材７２の直接出射部７７の平坦な光入射面に入射し、直接出射部７７を透過して、直接出射部７７の外側の凸面により集光され、プラテンガラス４４及び原稿読取りガラス６５の表面（読取り基準面）における副走査方向Ｙの入射範囲ｙ１へと入射する。
【００７３】
このＬＥＤアレイ７１から直接出射部７７を介して副走査方向Ｙの入射範囲ｙ１までの光の経路を直接経路Ｄとすると、この直接経路Ｄは、ＬＥＤアレイ７１から入射範囲ｙ１までの最短の直線的な経路である。
【００７４】
また、ＬＥＤアレイ７１の出射光が、導光部材７２の間接出射部７８の平坦な光入射面に入射し、間接出射部７８を透過して、間接出射部７８の外側の凸面により集光され、反射板７３に入射して、反射板７３で反射され、プラテンガラス４４及び原稿読取りガラス６５の表面（読取り基準面）における副走査方向Ｙの入射範囲ｙ２に入射する。
【００７５】
このＬＥＤアレイ７１から間接出射部７８及び反射板７３を介して副走査方向Ｙの入射範囲ｙ２までの光の経路を間接経路ｄとすると、この間接経路ｄは、反射板７３で屈曲されて、直接経路Ｄよりも長くされた経路である。
【００７６】
ここで、ＬＥＤアレイ７１から直接経路Ｄを経由して入射範囲ｙ１に到る光を直接照明光と称し、この直接照明光の断面配光ピークを通る照明光軸（実際には主走査方向Ｘに長い光軸面となっている）をｇ１とし、ＬＥＤアレイ７１から間接経路ｄを経由して入射範囲ｙ２に到る光を間接照明光と称し、この間接照明光の断面配光ピークを通る照明光軸（実際には主走査方向Ｘに長い光軸面となっている）をｇ２とすると、直接照明光の照明光軸ｇ１及び間接照明光の照明光軸ｇ２は、読取り基準面における主走査ラインＸＬ（読取り光軸Ｇ）の両側に一定距離だけ離間したそれぞれの位置ｈ１、ｈ２を通って、プラテンガラス４４又は原稿読取りガラス６５（読取り基準面）の上方で、つまり読取り基準面に対してＬＥＤアレイ７１及び反射板７３とは反対側で、交差する。そして、読取り基準面における各照明光軸ｇ１、ｇ２（各位置ｈ１、ｈ２）の間では、各入射範囲ｙ１、ｙ２が部分的に重なり合った照明範囲ｙ３が形成される。
【００７７】
直接照明光の入射範囲ｙ１は、導光部材７２の直接出射部７７の光入射面の向き及び外側凸面の集光特性により決まる。すなわち、ＬＥＤアレイ７１の出射光の一部は、入射範囲ｙ１と略平行な直接出射部７７の光入射面を透過して、直接出射部７７の外側凸面により集光されて入射範囲ｙ１に入射する。
【００７８】
また、間接照明光の入射範囲ｙ２は、導光部材７２の間接出射部７８の光入射面の向き及び外側凸面の集光特性により決まる。すなわち、ＬＥＤアレイ７１の出射光の残りの部分は、反射板７３と略平行な間接出射部７８の光入射面を透過して、間接出射部７８の外側凸面により集光され、反射板７３で反射されて入射範囲ｙ２に入射する。
【００７９】
先に述べたようにＬＥＤアレイ７１の各ＬＥＤ７６の出射光の殆どが基板７５の表面と基板７５の表面に直交して各ＬＥＤ７６を通る垂直面との間に挟まれる９０°の範囲αに出射されることから、この出射光の殆どが導光部材７２の直接出射部７７の光入射面及び間接出射部７８の光入射面に入射する。このため、導光部材７２の直接出射部７７及び間接出射部７８は、ＬＥＤアレイ７１の出射光を無駄なく各入射範囲ｙ１、ｙ２へと導く。そして、各入射範囲ｙ１、ｙ２が部分的に重なり合った照明範囲ｙ３では、直接照明光及び間接照明光のいずれも入射することから、原稿ＭＳが高い照度で照明される。
【００８０】
また、入射範囲ｙ１に入射する直接照明光及び入射範囲ｙ２に入射する間接照明光により２方向から原稿ＭＳの端部（図示せず）が明るく照明されて、原稿ＭＳの端部の影が低減される。直接出射部７７の光入射面の面積及び間接出射部７８の光入射面の面積をそれぞれ適宜に設定することにより、直接照明光の光量と間接照明光の光量との割合を調節することができ、直接照明光の光量及び間接照明光の光量との比を６：４程度に設定すると、原稿ＭＳの端部の影を効果的に低減することができる。
【００８１】
一方、読取り基準面においては、直接照明光の断面配光ピークを通る照明光軸ｇ１と間接照明光の断面配光ピークを通る照明光軸ｇ２とがずれていることから、各照明光軸ｇ１、ｇ２（各位置ｈ１、ｈ２）の間の照明範囲ｙ３の断面配光特性に急峻なピークが存在せず、照明範囲ｙ３の照度が安定化する。
【００８２】
図６は、ＬＥＤアレイ７１から直接経路Ｄを経由して入射範囲ｙ１に到る直接照明光の断面配光特性ｆ１と、ＬＥＤアレイ７１から間接経路ｄを経由して入射範囲ｙ２に到る間接照明光の断面配光特性ｆ２を概念的に示す図である。図６に示すように読取り基準面においては、直接照明光の断面配光特性ｆ１のピークを通る照明光軸ｇ１と間接照明光の断面配光特性ｆ２のピークを通る照明光軸ｇ２とが主走査ラインＸＬ（読取り光軸Ｇ）の両側にずれ、各照明光軸ｇ１、ｇ２（各位置ｈ１、ｈ２）の間の照明範囲ｙ３が直接照明光及び間接照明光により照明されている。
【００８３】
図７（ａ）、（ｂ）、（ｃ）は、読取り基準面における照明範囲ｙ３の断面配光特性を例示するグラフである。図７（ａ）は、読取り基準面における各照明光軸ｇ１、ｇ２（各位置ｈ１、ｈ２）の間の離間距離が規定値に設定されたときの照明範囲ｙ３の断面配光特性ｆ３を示しており、照明範囲ｙ３の中央付近では略一定の照度が維持されている。図７（ｂ）は、読取り基準面における各照明光軸ｇ１、ｇ２（各位置ｈ１、ｈ２）の間の離間距離が規定値よりも長いときの照明範囲ｙ３の断面配光特性ｆ３を示しており、照明範囲ｙ３の中央付近で照度が低下しているものの、照明範囲ｙ３全体では大きな照度変化がない。図７（ｃ）は、読取り基準面における各照明光軸ｇ１、ｇ２（各位置ｈ１、ｈ２）の間の離間距離が規定値よりも短いときの照明範囲ｙ３の断面配光特性ｆ３を示しており、照明範囲ｙ３の中央付近で照度が上昇しているものの、照明範囲ｙ３全体では大きな照度変化がない。
【００８４】
照明範囲ｙ３においては、直接照明光及び間接照明光のそれぞれの断面配光特性ｆ１、ｆ２のピークの急峻程度、及び読取り基準面における各照明光軸ｇ１、ｇ２（各位置ｈ１、ｈ２）の間の離間距離により照明範囲ｙ３の断面配光特性が決まるが、図７（ａ）〜（ｃ）から明らかなようにその離間距離が規定値から大きく外れなければ、照明範囲ｙ３の照度が大きく変化することはなく、また照明範囲ｙ３が大幅に狭くなることもない。このため、ＬＥＤアレイ７１や反射板７３の寸法誤差及び取付け誤差を原因とする程度で、各断面配光特性ｆ１、ｆ２のピークがずれたり、読取り基準面における各照明光軸ｇ１、ｇ２（各位置ｈ１、ｈ２）の間の離間距離が規定値から外れたとしても、照明範囲ｙ３に含まれる主走査ラインＸＬの照度が大きく変動することはなく、また照明範囲ｙ３が大幅に狭くなることもない。従って、ＬＥＤアレイ７１や反射板７３の寸法誤差及び取付け誤差があったとしても、主走査ラインＸＬを明るく照明しかつ主走査ラインＸＬでの照度変化を抑えることができる。
【００８５】
また、先に述べたように導光部材７２の直接出射部７７を透過した直接照明光を入射範囲ｙ１に入射させているが、直接出射部７７の外側凸面の形状により直接照明光の断面配光特性ｆ１を調節して、断面配光特性ｆ１のピークを緩やかにすることができる。同様に、導光部材７２の間接出射部７８を透過した間接照明光を入射範囲ｙ２に入射させているが、間接出射部７８の外側凸面の形状により間接照明光の断面配光特性ｆ２を調節して、断面配光特性ｆ２のピークを緩やかにすることができる。従って、各入射範囲ｙ１、ｙ２が部分的に重なり合った照明範囲ｙ３の断面配光特性ｆ３をより変化が少ないものにすることができ、照明範囲ｙ３の照度変化をより抑えることができる。このため、ＬＥＤアレイ７１や反射板７３の位置を調節する機構を格別に設ける必要がない。
【００８６】
例えば、第１実施形態の照明装置５１において、読取り基準面における副走査方向Ｙの照明範囲ｙ３として、読取り基準面上の照度が最大照度（例えば、図７（ｃ）の断面配光特性ｆ３の最大照度）と最大照度の８５％に相当する下限照度との間に入る範囲を規定した場合は、照明範囲ｙ３が±３ｍｍ（全幅６ｍｍ）以上の範囲になる。これは、ＬＥＤアレイ７１や反射板７３の寸法誤差及び取付け誤差の許容範囲が広いことを示唆しており、ＬＥＤアレイ７１や反射板７３の位置を調節する機構が無くても、主走査ラインＸＬを明るく照明しかつ主走査ラインＸＬでの照度変化を抑えることが可能である。
【００８７】
これに対して図８に示すように読取り基準面において、直接照明光の断面配光ピークを通る照明光軸ｇ１（位置ｈ１）と間接照明光の断面配光ピークを通る照明光軸ｇ２（位置ｈ２）とが一致した場合は、断面配光特性ｆ４が急峻になって、読取り基準面上の照度が最大照度と下限照度（最大照度の８５％）の間に入る範囲が±３ｍｍ未満になる。従って、ＬＥＤアレイ７１や反射板７３の寸法誤差及び取付け誤差の許容範囲が狭く、主走査ラインＸＬを明るく照明したり主走査ラインＸＬでの照度変化を抑えることが困難である。このため、照明装置５１の歩留まりが悪くなる。あるいは、ＬＥＤアレイ７１や反射板７３の位置を調節する機構が必要になる。
【００８８】
図９は、第１実施形態の画像読取り装置の変形例を部分的に示す断面図である。尚、図９において、図５の装置と同様の作用を果たす部位には同じ符号を付す。
【００８９】
この変形例の照明装置５１Ａでは、直接照明光の照明光軸ｇ１と間接照明光の照明光軸ｇ２が、プラテンガラス４４又は原稿読取りガラス６５（読取り基準面）の下方で、つまり読取り基準面に対してＬＥＤアレイ７１及び反射板７３の側で、交差してから、読取り基準面における主走査ラインＸＬ両側のそれぞれの位置ｈ１、ｈ２を通るようにしている。この場合も、各入射範囲ｙ１、ｙ２が部分的に重なり合って、照度が高くかつ照度変化が少ない照明範囲ｙ３を設定することができる。
【００９０】
図１０（ａ）、（ｂ）は、第１実施形態の画像読取り装置の他の変形例を概略的に示す断面図である。尚、図１０（ａ）、（ｂ）において、図５の装置と同様の作用を果たす部位には同じ符号を付す。
【００９１】
図１０（ａ）では、直接照明光の断面配光ピークｐ１及び間接照明光の断面配光ピークｐ２を、プラテンガラス４４又は原稿読取りガラス６５の表面（読取り基準面）に対してＬＥＤアレイ７１及び反射板７３と同じ側に配している。また、図１０（ｂ）では、直接照明光の断面配光ピークｐ１及び間接照明光の断面配光ピークｐ２を、読取り基準面に対してＬＥＤアレイ７１及び反射板７３とは反対側に配している。図１０（ａ）、（ｂ）の場合も、各入射範囲ｙ１、ｙ２が部分的に重なり合って、照度が高くかつ照度変化が少ない照明範囲ｙ３を設定することができる。
【００９２】
次に、本発明の画像読取り装置の第２実施形態を説明する。第２実施形態の画像読取り装置も、第１実施形態の画像読取り装置と同様に、図１の画像形成装置１００に適用され、原稿を照明して読取る。
【００９３】
図１１は、第２実施形態の画像読取り装置における照明装置による照明状態を示す断面図である。尚、図１１において、図５の装置と同様の作用を果たす部位には同じ符号を付す。
【００９４】
第２実施形態の画像読取り装置における照明装置５１Ｂでは、図５の反射板７３の代わりに、反射板８１を用いている。この反射板８１は、平坦な第１及び第２反射面８１ａ、８１ｂを有している。第１反射面８１ａは、図５の反射板７３の反射面に相当し、ＬＥＤアレイ７１から出射され導光部材７２の間接出射部７８を透過した光を反射して、この光（間接照明光）をプラテンガラス４４及び原稿読取りガラス６５の表面（読取り基準面）における副走査方向Ｙの入射範囲ｙ２に入射させる。また、ＬＥＤアレイ７１から出射され導光部材７２の直接出射部７７を透過した直接照明光は、読取り基準面における副走査方向Ｙの入射範囲ｙ１に入射する。そして、各入射範囲ｙ１、ｙ２が部分的に重なり合って、照度が高くかつ照度変化が少ない照明範囲ｙ３が形成される。
【００９５】
また、反射板８１の第２反射面８１ｂは、第１反射面８１ａに追加され、第１反射面８１ａに対し僅かに屈曲されてその向きを変更されたものである。ＬＥＤアレイ７１の出射光の一部は、導光部材７２の間接出射部７８を透過して、間接出射部７８の外側の凸面により集光され、第２反射面８１ｂに入射して、第２反射面８１ｂで反射され、プラテンガラス４４及び原稿読取りガラス６５の表面（読取り基準面）よりも上方５ｍｍの位置における副走査方向Ｙの入射範囲ｙsに入射する。
【００９６】
このため、原稿ＭＳの表面がプラテンガラス４４及び原稿読取りガラス６５の表面から浮いていても、この表面が効果的に照明される。例えば、図１２に示すように本を開いてプラテンガラス４４上に置いた状態では、本の綴じた箇所ＭＳ１で各頁がプラテンガラス４４から浮くが、この浮いた各頁一部にも第２反射面８１ｂで反射された光が届いて、この浮いた各頁一部が照明される。
【００９７】
従って、第２実施形態の画像読取り装置における照明装置５１Ｂでは、第１実施形態の画像読取り装置における照明装置５１と同様に、直接照明光の照明光軸ｇ１と第１反射面８１ａで反射された間接照明光の断面配光ピークを通る照明光軸ｇ２とが主走査ラインＸＬ（読取り光軸Ｇ）の両側にずれており、各入射範囲ｙ１、ｙ２が部分的に重なり合った照明範囲ｙ３が設定される。その上、第２反射面８１ｂで反射された間接照明光の断面配光ピークを通る照明光軸ｇ３が第１反射面８１ａで反射された間接照明光の照明光軸ｇ２に対して光軸Ｇ方向にずれていることから、第２反射面８１ｂで反射された間接照明光によりプラテンガラス４４及び原稿読取りガラス６５の表面から浮いた原稿等を確実に照明することができる。
【００９８】
図１３は、第２実施形態の画像読取り装置における照明装置の変形例を概略的に示す断面図である。尚、図１３において、図１１の装置と同様の作用を果たす部位には同じ符号を付す。
【００９９】
この変形例の照明装置５１Ｃでは、直接照明光の照明光軸ｇ１と間接照明光の照明光軸ｇ２が、プラテンガラス４４又は原稿読取りガラス６５の下方で、つまり読取り基準面に対してＬＥＤアレイ７１及び反射板７３の側で、交差してから、読取り基準面における主走査ラインＸＬ両側のそれぞれの位置ｈ１、ｈ２を通るようにしている。この場合も、各入射範囲ｙ１、ｙ２が部分的に重なり合って、照度が高くかつ照度変化が少ない照明範囲ｙ３を設定することができる。
【０１００】
図１４は、第２実施形態の照明装置の他の変形例を概略的に示す断面図である。尚、図１３において、図１１の装置と同様の作用を果たす部位には同じ符号を付す。
【０１０１】
この他の変形例の照明装置５１Ｄでは、図１０の反射板８１の代わりに、反射板８２を用いている。この反射板８２は、図１１の反射板８１と同様に、第１及び第２反射面８２ａ、８２ｂを有しているが、第１及び第２反射面８２ａ、８２ｂが平坦面ではなく凹面（曲面）となっている。
【０１０２】
第１反射面８２ａは、凹面であるため、ＬＥＤアレイ７１から出射され導光部材７２の間接出射部７８を透過した光を反射するだけではなく集光し、この集光した光（間接照明光）をプラテンガラス４４及び原稿読取りガラス６５の表面（読取り基準面）における副走査方向Ｙの入射範囲ｙ２に入射させる。この集光作用を有する第１反射面８２ａを図１１の反射板８１の第１反射面８１ａよりも広くしておけば、第１反射面８２ａは、第１反射面８１ａよりも広範囲の光を反射し集光して、副走査方向Ｙの入射範囲ｙ２に入射させることができ、入射範囲ｙ２をより高い照度で照明することができる。
【０１０３】
また、ＬＥＤアレイ７１から出射され導光部材７２の直接出射部７７を透過した直接照明光は、読取り基準面における副走査方向Ｙの入射範囲ｙ１に入射する。そして、各入射範囲ｙ１、ｙ２が部分的に重なり合って、照度が高くかつ照度変化が少ない照明範囲ｙ３が形成される。
【０１０４】
反射板８２の第２反射面８２ｂは、第１反射面８２ａに対し僅かに屈曲されてその向きを変更されている。この第２反射面８２ｂも、凹面であるため、ＬＥＤアレイ７１から出射され導光部材７２の間接出射部７８を透過した光を反射するだけではなく集光し、この集光した光をプラテンガラス４４及び原稿読取りガラス６５の表面（読取り基準面）よりも上方５ｍｍの位置における副走査方向Ｙの入射範囲ｙsに入射させる。この集光作用を有する第２反射面８２ｂについても、図１１の反射板８１の第２反射面８１ｂよりも広くしておけば、第２反射面８２ｂにより広範囲の光を反射し集光して副走査方向Ｙの入射範囲ｙsに入射させることができ、入射範囲ｙｓをより高い照度で照明することができ、読取り基準面から浮いた原稿等をより明るく照明することができる。
【０１０５】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１０６】
例えば、第１及び第２実施形態では、ＬＥＤアレイを光源として用いているが、冷陰極管や蛍光灯などを光源として用いてもよい。また、光源と反射板を組み合わせて用いているが、２つの光源を組み合わせ、各光源の光を読取り基準面上のそれぞれの入射範囲ｙ１、ｙ２へと入射させて、各入射範囲ｙ１、ｙ２が部分的に重なり合った照明範囲ｙ３を設定しても構わない。
【符号の説明】
【０１０７】
１  レーザ露光装置
２  現像装置
３  感光体ドラム
４  クリーナ装置
５  帯電器
８  中間転写ベルト装置
１０  給紙トレイ
１１  ２次転写装置
１２  定着装置
４１  画像読取り装置
４２  原稿搬送装置
４４  プラテンガラス
４５  第１走査ユニット
４６  第２走査ユニット
４７  結像レンズ
４８  ＣＣＤ（Charge Coupled Device）
５１  照明装置
５２  第１反射ミラー
５３  第２反射ミラー
５４  第３反射ミラー
６５  原稿読取りガラス
７１  ＬＥＤアレイ
７２  導光部材
７３、８１、８２  反射板
７４  移動フレーム
７５  基板
７６  ＬＥＤ
７７  直接出射部
７８  間接出射部
１００  画像形成装置
【図１】
2012156574.tif 000003
【図２】
2012156574.tif 000004
【図３】
2012156574.tif 000005
【図４】
2012156574.tif 000006
【図５】
2012156574.tif 000007
【図６】
2012156574.tif 000008
【図７】
2012156574.tif 000009
【図８】
2012156574.tif 000010
【図９】
2012156574.tif 000011
【図１０】
2012156574.tif 000012
【図１１】
2012156574.tif 000013
【図１２】
2012156574.tif 000014
【図１３】
2012156574.tif 000015
【図１４】
2012156574.tif 000016